(57)【要約】      （修正有）【課題】容易かつ低廉なコストで作成され、読取事実（スキャンされた事実）がわかるとともに、スキミング防止に有効な印刷物を提供する。【解決手段】印刷物は、折り目１１が施された被印刷物１２と、表面部分バーコード部１３ａと、裏面部分バーコード部１３ｂとから構成され、被印刷物の折り曲げ状態において、表面部分バーコード部と裏面部分バーコード部とが接合して読取装置により読取り可能なバーコード部を形成する。【選択図】図１
0003226417.tif 000002
【実用新案登録請求の範囲】
【請求項１】
折り目（１１）が施され、当該折り目（１１）に基づいて折り曲げ可能な被印刷物（１２）と、
当該被印刷物（１２）の表面に、読取装置により読取り不可能な状態で印刷された、バーコードの一部である表面部分バーコード部（１３ａ）と、
当該被印刷物の裏面に、読取装置により読取り不可能な状態で印刷された、バーコードの一部である裏面部分バーコード部（１３ｂ）と、を含む印刷物であって、
前記被印刷物（１２）を当該折り目（１１）に基づいて折り曲げた状態において、表面部分バーコード部（１３ａ）と裏面部分バーコード部（１３ｂ）とが接合して読取装置により読取り可能なバーコード部（１３）を形成することを特徴とする印刷物。
【請求項２】
前記バーコード部（１３）が、３つのファインダーパターンを有する二次元バーコードであって、
前記表面部分バーコード部（１３ａ）が、２つのファインダーパターンを含み、かつ裏面部分バーコード部（１３ｂ）が、１つのファインダーパターンを含むか、あるいは、前記表面部分バーコード部（１３ａ）が、１つのファインダーパターンを含み、かつ裏面部分バーコード部（１３ｂ）が、２つのファインダーパターンを含むことを特徴とする請求項１に記載の印刷物。
【請求項３】
前記折り目（１１）が、ミシン目および／または折筋であることを特徴とする請求項１または２に記載の印刷物。
【請求項４】
更に、裏打ち紙２枚を有し、
かつ、当該２枚の裏打ち紙同士が、隙間を形成するように、被印刷物（１２）の裏面に貼着され、
当該隙間が、前記折り目（１１）を形成していることを特徴とする請求項１〜３の何れか一項に記載の印刷物。
【考案の詳細な説明】
【技術分野】
【０００１】
本考案は、折り目部と折曲状態で読取り可能なバーコード部とを有する新規印刷物に関し、より具体的には、容易かつ低廉なコストで作成され、読取事実（スキャンされた事実）がわかるとともに、スキミング防止に有効な印刷物に関する。
【背景技術】
【０００２】
近年の情報化社会の進展に伴い、様々な、デジタル情報の出入力が可能な手段が考案されている。
【０００３】
たとえば、「バーコード」（Ｂａｒｃｏｄｅ）は、縞模様状の線（バー）とスペース部とからなり、当該バーの太さによって、数値、記号や文字などの各種情報を表現している識別子であり（後述する二次元コードと区別して「１次元バーコード」ということもある）、バーコードリーダー、スマートフォン、携帯電話などの読取装置を用いて、読取られ、格納された情報にアクセスできるようになる。
【０００４】
また、一次元バーコードの規格として、たとえば、ＪＡＮコード（Ｊａｐａｎｅｓｅ  Ａｒｔｉｃｌｅ  Ｃｏｄｅ）が汎用されており、標準タイプ（１３桁）と短縮タイプ（８桁）に大別される。なお、標準タイプには、最初の７桁がＪＡＮメーカーコードとなっているものと、９桁（国番号２桁およびメーカーコード７桁）がＪＡＮメーカーコードとなっているものに分けられるが、９桁メーカーコード１つで、９９９アイテムまで付番することができる。
【０００５】
一方、一次元バーコードは、横方向にのみに情報が表現されている。すなわち、データも数列や文字列でどちらも一次元であるため、情報量には限界がある。
そこで、ドットを縦横に配列し多くの情報を表す「二次元コード」も開発されている（たとえば、特許文献１）。このような二次元コードの代表的な例としては、ＱＲコード（登録商標）が挙げられる。
【０００６】
ＱＲコード（登録商標）は縦横に情報を持つため、数字、英字、漢字などの多言語のデータも多くの情報を格納できる。
【０００７】
さらに、光学読取装置のみならず、一般に流通している電子端末（カメラ付き携帯電話、スマートフォン、タブレット端末）の多くは、ＱＲコードの読取りに対応しているため、一般消費者にも広く利用されている。これらの読取装置は、ＱＲコードの３個の位置検出パターン（ファインダパターン）を識別することで、ＱＲコードのシンボル部分の方向や位置を正しく認識して、格納情報を読取ることができる。
【０００８】
このように、ＱＲコード（登録商標）など二次元コードによる情報の大容量化と二次元コードの読取装置の普及に伴って、二次元コードは、生産現場での製品情報、商品の詳細な情報の管理のみならず、特定者に向けたクーポン情報や商品の購入特典情報の提示や、景品などの配布など、幅広く利用されている。
【先行技術文献】
【特許文献】
【０００９】
【特許文献１】特許第２９３８３３８号
【考案の概要】
【考案が解決しようとする課題】
【００１０】
上述のように、近年、一次元コードも二次元コードも、個人用の電子端末などの読取装置が普及し、容易にスキャン（読取）が実行され、格納された情報に容易にアクセスし得る状況となっている。そのため、特定人向けに提示されたコードに格納された情報も、不特定多数の者が自由に読取られ、特定人向けの情報などが容易に流出・取得されてしまうことが問題となっている。すなわち、不特定多数の者が、購入特典など、本来、購入者のみが得られる情報にアクセスできるようになってしまう（いわゆる「スキミング」ができる）。ひいては、そのコードに格納された情報の価値が著しく低下ないしは無価値化してしまうという事態が生じている。
【００１１】
このような事態に対して、パスワード設定や指紋認証などの各種認証を課すことがあるが、そのシステム構築には手間と時間、更にはそれには少なからずコストがかかる。また、利用者（消費者）も、パスワードの入力の手間が生じ、迅速に情報にアクセスできないという問題も生じる。
【００１２】
そこで、本考案者は、コードが印刷されている印刷物の構造を中心に、鋭意検討した結果、折り目（例：ミシン目）を施された被印刷物（例：紙）の表面および裏面に、読取装置で読取り可能なコードを部分的に印刷し、その折り目に基づいて被印刷物を折ることで、１つの読取り可能なコードが表出する構成を採用することで、上記問題を解決できることを見出した。
【００１３】
すなわち、本考案は、上記問題を解決すべく、容易かつ低廉なコストで作成され、読取事実（スキャンされた事実、更には格納された情報にアクセスされた事実）がわかるとともに、スキミング防止に有効な、バーコードが印刷された新規印刷物を提供することを目的とする。
【課題を解決するための手段】
【００１４】
折り目（１１）が施され、当該折り目（１１）に基づいて折り曲げ可能な被印刷物（１２）と、
当該被印刷物（１２）の表面に、読取装置により読取り不可能な状態で印刷された、バーコードの一部である表面部分バーコード部（１３ａ）と、
当該被印刷物の裏面に、読取装置により読取り不可能な状態で印刷された、バーコードの一部である裏面部分バーコード部（１３ｂ）と、を含む印刷物であって、
前記被印刷物（１２）を当該折り目（１１）に基づいて折り曲げた状態において、表面部分バーコード部（１３ａ）と裏面部分バーコード部（１３ｂ）とが接合して読取装置により読取り可能なバーコード部（１３）を形成することを特徴とする。
【００１５】
本考案に係る印刷物においては、前記バーコード部（１３）が、３つのファインダーパターンを有する二次元バーコードであって、
前記表面部分バーコード部（１３ａ）が、２つのファインダーパターンを含み、かつ裏面部分バーコード部（１３ｂ）が、１つのファインダーパターンを含むか、あるいは、前記表面部分バーコード部（１３ａ）が、１つのファインダーパターンを含み、かつ裏面部分バーコード部（１３ｂ）が、２つのファインダーパターンを含むことが好ましい。
【００１６】
本考案に係る印刷物においては、前記折り目（１１）は、ミシン目および／または筋折であることが好ましい。
【００１７】
本考案に係る印刷物においては、更に、裏打ち紙２枚を有し、かつ、当該２枚の裏打ち紙同士が、隙間を形成するように、被印刷物（１２）の裏面に貼着され、当該隙間が、前記折り目（１１）を形成していることが好ましい。
【考案の効果】
【００１８】
本考案に係る新規印刷物によれば、容易かつ低廉なコストで作成することができ、読取事実（スキャンされた事実更には格納された情報にアクセスされた事実）がわかるとともに、高いスキミング防止効果を発揮することができる。
【図面の簡単な説明】
【００１９】
【図１】図１（Ａ）は、本考案に係る印刷物であって、開放状態（折り目線に基づいて折り曲げていない状態）の印刷物の表面を示すための図である。図１（Ｂ）は、本考案に係る印刷物であって、開放状態（折り目線に基づいて折り曲げていない状態）の印刷物の裏面を示すための図である。
【図２】図２（Ａ）は、本考案に係る印刷物であって、折り目線に基づいて折り曲げた状態（折曲状態）の印刷物の表面を示すための図である。図２（Ｂ）は、本考案に係る印刷物であって、折り目線に基づいて折り曲げた状態（折曲状態）の印刷物の裏面を示すための図である。
【図３】図３（Ａ）〜（Ｃ）は、本考案に係る印刷物であって、バーコード部分が一次元コードである態様を示すための図である。図３（Ａ）は、開放状態の印刷物の表面を示すための図である。図３（Ｂ）は、本考案に係る印刷物であって、開放状態の印刷物の裏面を示すための図である。さらに、図３（Ｃ）は、折曲状態の印刷物の表面を示すための図である。
【図４】図４は、使用者により折り目（１１）が切られ、上下に分離されてバーコード部が読取不能になった本考案に係る印刷物を示すための図である。
【図５】図５（Ａ）は、本考案に係る印刷物において、裏打ち紙２枚を有する態様を示すための図である。図５（Ｂ）は、裏打ち紙を有する印刷物における折曲状態を示すための図である。
【図６】図６（Ａ）〜（Ｃ）は、本考案に係る印刷物において、部分バーコードが３つに分割されている態様を示すための図である。図６（Ａ）および（Ｂ）は、開放状態における印刷物を示し、それぞれ表面および裏面を示す。また、図６（Ｃ）は、折曲状態における印刷物を示す。
【考案を実施するための形態】
【００２０】
以下、本考案に係る印刷物を、図面を適宜参照しながら詳細に説明する。
【００２１】
本考案に係る印刷物は、たとえば、図１に示されるように、被印刷物１２に、折り目１１が施されており、表面部分バーコード部１３ａおよび裏面部分バーコード部１３ｂを備える。
【００２２】
前記表面部分バーコード部１３ａは、読取り可能なバーコードの一部分であり、被印刷物１２の表面に印刷されている。また、裏面部分バーコード部１３ｂは、読取り可能なバーコードの一部分であり、当該被印刷物の裏面に印刷されている。これらの表面部分バーコード部および裏面部分バーコード部（以下、「部分バーコード部」という）は、読取装置（光学式バーコードリーダや、スマートフォン、カメラ付携帯電話、タブレット端末等の電子端末の読取装置など）によりスキャンしても当該バーコードに読取れない状態となっている。
【００２３】
なお、表面部分バーコード部および裏面部分バーコード部は、接合させると、読取り可能なバーコード（以下、読取可能バーコードともいう）を形成することができ、読取装置により、この読取可能バーコードに格納された情報にアクセスすることができる。
【００２４】
図１〜５では、２つの部分バーコード（表面部分バーコード部および裏面部分バーコード部）に分割され、これらの部分バーコードが接合することで読取可能バーコードが形成される態様が示されている。
【００２５】
一方で、必要に応じて、３つ以上の部分バーコードを有し、これらの部分バーコードが接合して読取可能バーコードが形成される態様であってもよい。
【００２６】
このような態様の一例を図６で示す。
図６（Ａ）および（Ｂ）は、それぞれ、印刷物の表面および裏面を示している。図６（Ｂ）の付番１１および１１ａで示されるように、当該印刷物の裏面では、折り目が２つ施され、裏面部分バーコード部が２つ印刷されている（付番１３ｂ、１３ｃ）。ここで、折目１１、１１ａに基づいて表面側に折ると（谷折りをすると）、裏面部分バーコード部１３ｂ、１３ｃの１辺が、それぞれ表面部分バーコード部１３ａの上辺および下辺に接合して、図６（Ｃ）の付番１３に示されるような、読取可能バーコードが形成される。
このような態様は、印刷物を作成するにあたり、プリント技術の高い精度とミシン目などの折目を施すための加工技術の高さが要求されることになるが、高いスキミング防止効果が期待できる。
【００２７】
図１では、バーコード部が、ＱＲコード（登録商標）などの二次元コードである態様を示している。この２次元コードでは、付番１５ａ、１５ｂ、１５ｃで示されるように、３つの隅（左上，左下，右上）に配置されたファインダーパターン（位置検出パターン）が３つ同時に読取られることにより、コード内のシンボル部分が読取られ、格納された情報にアクセスできることになる。一方、表面部分バーコード部１３ａおよび裏面部分バーコード部１３ｂは、それぞれ、ファインダーパターンが２つおよび１つ有し、いづれも３つ同時に有するものではない。すなわち、部分バーコード部単独では、読取装置により読取り不可能な状態にある。
【００２８】
図２（Ａ）および（Ｂ）は、それぞれ、図１の印刷物の被印刷物１２を当該折り目１１に基づいて折り曲げた状態の表面および裏面を示す。図２（Ａ）に示されるように、この折曲状態では、表面部分バーコード部１３ａと裏面部分バーコード部１３ｂとが接合するようになっている。ここで、「接合」とは、表面部分バーコード部の下端部と裏面部分バーコード部の上端部が接して、一つの読取可能バーコードを表示することをいう。この接合により、読取可能バーコード１３が形成され、読取装置により読取り可能になり、格納された情報にアクセスすることができる。
【００２９】
また、読取り可能バーコードは、一次元バーコードであっても、二次元コードであっても特に限定されないが、読取り可能バーコードに大量の情報を格納できるという観点からは、図１〜２に示されるように、バーコード部が、ＱＲコード（登録商標）などの二次元コードであることが好ましい。
【００３０】
また、本考案に係る印刷物を、折り目（１１）で分割した場合（半券にした場合）、ＱＲコードは、裏面部分バーコード部を有する被印刷物部分と表面部分バーコード部を有する被印刷物部分とに（すなわち、２枚の半券）分離することになる。なお、図６で示されるように、部分バーコード部が３つ以上印刷された態様では、３枚以上の半券に分離することになる。
ここで、上記半券に印刷されている部分バーコードと、別の本考案に係る印刷物の半券に印刷されている部分バーコードとを接合すれば、一つの読取可能バーコードが形成され得る。そして、形成された読取可能バーコードを読取装置に読み取らせることで、読取可能バーコードに格納された情報に容易にアクセスすることができる。特に、当該印刷物が抽選券など特定者に対して提供される情報を格納している場合、当該情報が不特定多数の者に流出し、ひいては、当該情報の価値自体の低下あるいは無価値化が懸念される。なお、このような事態に対処するために、従来では、抽選券などにスクラッチ加工を施すなどして、上記情報を隠蔽していた。
このような事情を考慮すると、読取り可能バーコードとしてＱＲコードを使用する場合、ＱＲコードの中でも、ユニークＱＲ（登録商標）コードであることが好ましい。このような構成を採ることで、スクラッチ加工を施すなどの製造工程を省略し、製造コストを削減できるとともに、上述のような、特定者に対して提供されるべき情報が不特定多数の者に流出してしまうという事態を防ぐことができる。
【００３１】
この場合、図１に示されるように、前記表面部分バーコード部１３ａが、２つのファインダーパターン１５ａ、１５ｂを含み、かつ裏面部分バーコード部１３ｂが、１つのファインダーパターン１５ｃを含む態様であってもよいし、あるいは、図示はしないが、前記表面部分バーコード部が、１つのファインダーパターンを含み、かつ裏面部分バーコード部が、２つのファインダーパターンを含む態様であってもよい。このような構成にすることで、部分バーコード部単独では読取装置で読取できず、格納された情報にアクセスできない一方で、部分バーコード部同士が接合した場合、読取装置で読取ることができ、格納された情報にアクセスできるようになる。
【００３２】
一方で、図３に示されるように、読取り可能バーコードとして、ＪＡＮ（Ｊａｐａｎｅｓｅ  Ａｒｔｉｃｌｅ  Ｃｏｄｅ）などの一次元バーコードを使用することができる。図３（Ａ）および（Ｂ）に示されるように、表面部分バーコード部１３´ａおよび裏面部分バーコード部１３´ｂは、一次元バーコードのバーおよびスペースの一部を有し、単独では読取不可能な状態である。そして、これらの部分バーコード部は、図３（Ｃ）に示されるように、折り目１１に基づいて折り曲げることにより、部分バーコード部同士が接合して読取可能バーコード１３´を形成する。ここで、使用者は、読取可能バーコード１３´を読取装置で読取ることができ、格納された情報にアクセスできるようになる。
【００３３】
本考案に係る印刷物においては、当該折り目に基づいて印刷物を折り曲げて、表面部分バーコード部と裏面部分バーコード部とを接合させることができ、読取可能バーコードを形成させることができる。そのため折り目（１１）は、基準線として機能するため、当該機能を発揮するものであれば、単に直線や破線などが印刷された折り目線であってもよいし、当該折り目線の表面又は裏面において筋押しされていたりハーフカットされていたりしているもの（折筋）でもよく、ミシン目であってもよい。
【００３４】
なお、図１〜３では、折り目として、ミシン目である態様を例示している。折り目は、ミシン目または折筋であることが好ましい。この態様では、折り曲げることが容易であり、部分バーコード部を正確に接合でき、読取可能バーコードの読取り可能性を高めることができる。
【００３５】
また、本考案に係る印刷物において、図５（Ａ）の付番１６ａおよび１６ｂに示されるように、更に、裏打ち紙２枚を有し、当該２枚の裏打ち紙同士が、折り目として隙間１１´を形成するように、被印刷物（１２）の裏面に貼着されていることが好ましい。このように構成することで、折り曲げることが容易であり、部分バーコード部を正確に接合でき、読取可能バーコードの読取り可能性を高めることができる。なお、この場合、裏面部分バーコード部（１３ｂ）が、裏打ち紙１６ｂに印刷され、前記隙間１１´（折り目）を折り曲げると、図５（Ｂ）に示されるように、部分バーコード部を正確に接合でき、読取可能バーコードを読取ることができる。
ここで、折り曲げることが一層容易になるという観点からは、裏打ち紙は、被印刷物と比較して厚みがあることが好ましい。
【００３６】
また、一旦、印刷物を折り曲げた状態にした場合、再度元のように印刷物を折り曲げる前の状態に戻したとしても、ミシン目において折り曲がりを直すことは容易ではなく、いわゆる「折癖」が付いている状態となる。すなわち、一度、使用者がコードの情報にアクセスした事実を確認しやすくなり、ひいては、当該情報が不特定多数の者に自由に読取られ、特定人向けの情報などが容易に流出・取得されてしまう問題の発生を低減することができる。
さらには、情報にアクセスして除法を取得して、不要になった後、図４に示されるように、ミシン目で切り裂いて、印刷物を上下（付番１０ｅおよび１０ｄ）に容易に分離することができる。このように分離された印刷物１０ｅ、１０ｄでは、部分バーコード部も分離されているため、もはや読取装置で読取り、情報にアクセスすることはできなくなる。そのため、不特定多数の者が、購入特典など、本来、購入者のみが得られる情報にアクセスできるようになる（いわゆる「スキミング」できる）といった事態を防ぎ、そのコードに格納された情報の価値を維持することができる。
【００３７】
本考案に係る印刷物は、主に、購入特典情報、クーポン情報、特定者に対する情報を開示するためのなどに使用されるため、被印刷物の大きさは、折り曲げた状態で、名刺サイズ（例：縦５５ｍｍ×横９１ｍｍ）、はがきサイズ（例：縦１４〜１５．４ｃｍ×横９〜１０．７ｃｍ）であることが通常であるが、これに限定されるものではない。また、被印刷物としては、印刷され得るものであれば、特にその材質は限定されない。当該材質は、通常は、紙であるが、その他にも、プラスチック、金属などが挙げられる。
【００３８】
なお、図１の付番１４に示されるように、本考案に係る印刷物の使用方法や格納された情報の内容などについての説明文が記載された説明部を有することが好ましい。
【産業上の利用可能性】
【００３９】
本考案は、容易かつ低廉なコストで作成され、読取事実（スキャンされた事実）がわかるとともに、スキミング防止に有効な新規印刷物を提供することができる。
【符号の説明】
【００４０】
１０ａ、１０´ａ：  開放状態の本考案に係る印刷物の表面
１０ｂ、１０´ｂ：  開放状態の本考案に係る印刷物の裏面
１０ｃ、１０´ｃ：折り曲げ状態の本考案に係る印刷物の表面
１０ｄ：折り曲げ状態の本考案に係る印刷物の裏面
１１、１１ａ：折り目（ミシン目）
１１´：折り目（２枚の裏打ち紙で形成された隙間）
１２：被印刷物
１３ａ：表面部分バーコード部（二次元コードの一部）
１３ｂ、１３ｃ：裏面部分バーコード部（二次元コードの一部）
１３：読取り可能なバーコード部（二次元コード）
１３´ａ：表面部分バーコード部（一次元コードの一部）
１３´ｂ：表面部分バーコード部（一次元コードの一部）
１３´：読取り可能なバーコード部（一次元コード）
１４：説明書部
１５ａ，１５ｂ，１５ｃ：ファインダーパターン
１６ａ，１６ｂ：裏打ち紙
【図１】
0003226417.tif 000003
【図２】
0003226417.tif 000004
【図３】
0003226417.tif 000005
【図４】
0003226417.tif 000006
【図５】
0003226417.tif 000007
【図６】
0003226417.tif 000008